(57)【特許請求の範囲】
【請求項１】
無線タグと通信を行う通信部と、
着信があった場合に、前記通信部を活動状態にする電力制御部と、
無線タグとの通信状態を検出する検出部と、
着信時に、発信元の識別情報を抽出する着信検出部と、
発信元の識別情報と、タグ通信を許可するか否かを示す可否情報と、を対応付けて記憶する対応情報記憶部と、
前記検出部が検出した通信状態の変化に基づいて、オンフック状態とオフフック状態とを切り替える状態切換部と、を備え、
前記電力制御部は、前記着信検出部が検出した発信元の識別情報が前記対応情報記憶部に記憶され、当該識別情報に対応付けられた可否情報がタグ通信を許可することを示す場合に、前記通信部を活動状態にし、
前記検出部は、自携帯電話装置と前記無線タグが一定距離内にある近接状態か、又は、自携帯電話装置と前記無線タグが一定距離内にない非近接状態か、を示す近接判定情報を検出し、
前記状態切換部は、前記近接判定情報に基づいて、オンフック状態とオフフック状態とを切り替える携帯電話装置。
【請求項２】
前記状態切換部は、自携帯電話装置がオンフック状態であるとき、前記近接判定情報の示す状態が前記近接状態から前記非近接状態となった場合に、オフフック状態へ切り替える請求項１に記載の携帯電話装置。
【請求項３】
前記状態切換部は、自携帯電話装置がオフフック状態であるとき、前記近接判定情報の示す状態が前記非近接状態から前記近接状態となった場合に、オンフック状態へ切り替える請求項１又は２に記載の携帯電話装置。
【請求項４】
前記状態切換部は、自携帯電話装置がオンフック状態であるとき、前記近接判定情報の示す状態が前記非近接状態から前記近接状態となった場合に、オフフック状態へ切り替える請求項１に記載の携帯電話装置。
【請求項５】
前記状態切換部は、自携帯電話装置がオフフック状態であるとき、前記近接判定情報の示す状態が前記近接状態から前記非近接状態となった場合に、オンフック状態へ切り替える請求項１又は４に記載の携帯電話装置。
【請求項６】
前記可否情報は、オンフック状態とオフフック状態との切り替え可否を示す請求項１又は５に記載の携帯電話装置。
【請求項７】
無線タグと通信を行う通信部と、着信があった場合に、前記通信部を活動状態にする電力制御部と、無線タグとの通信状態を検出する検出部と、着信時に、発信元の識別情報を抽出する着信検出部と、発信元の識別情報と、タグ通信を許可するか否かを示す可否情報と、を対応付けて記憶する対応情報記憶部と、前記検出部が検出した通信状態の変化に基づいて、オンフック状態とオフフック状態とを切り替える状態切換部と、を備えた携帯電話装置における制御方法において、
前記電力制御部が、前記着信検出部が検出した発信元の識別情報が前記対応情報記憶部に記憶され、当該識別情報に対応付けられた可否情報がタグ通信を許可することを示す場合に、前記通信部を活動状態にする過程と、
前記検出部が、自携帯電話装置と前記無線タグが一定距離内にある近接状態か、又は、自携帯電話装置と前記無線タグが一定距離内にない非近接状態か、を示す近接判定情報を検出する過程と、
前記状態切換部が、前記検出部が検出した通信状態の変化に基づいて、オンフック状態とオフフック状態とを切り替える過程と、
を備える制御方法。
【発明の詳細な説明】
【技術分野】
【０００１】
本発明は、携帯電話装置、及び、制御方法に関する。
【背景技術】
【０００２】
近年、携帯電話装置が普及している。使用者は、携帯電話装置が着信（着呼）によって鳴動した場合に、着信応答のための操作を行う。例えば、使用者は、応答キーを押下する。応答キーが押下されると、携帯電話装置は、オンフック状態からオフフック状態へ切り換わる。ここで、携帯電話装置の着信側に限って述べると、原則として、オンフック状態とは使用者が通話できない状態であり、オフフック状態とは使用者が通話相手と通話できる状態である。
また、使用者は、通話を終了するときに、通話終了（切断）のための操作をする。例えば、使用者は、終話キーを押下する。終話キーが押下されると、携帯電話装置は、オフフック状態からオンフック状態へ切り換わる。
【０００３】
最近では、いわゆるスマートフォンと呼ばれる携帯電話装置が普及してきている。スマートフォンとは、音声通話以外に、インターネット接続、スケジュール管理、メモ機能などの機能をもつ多機能型携帯電話である。スマートフォンにはタッチスクリーンが備えられていることが多い。スマートフォンの使用者は、タッチスクリーンを用いて画像の参照と入力操作を行う。例えば、使用者は、応答キー、終話キーなどのボタンの代替として、タッチスクリーン上の特定領域を指で特定方向になぞる（フリック操作）。このフリック操作を受けて、携帯電話装置は、オンフック状態とオフフック状態が切り換わる。
【０００４】
オンフック状態とオフフック状態が切り換わる技術として、例えば、特許文献１−４が知られている。
特許文献１には、折り畳み構造をもつ携帯電話機において、折り畳みの開閉を検出する手段と、外部インタフェースコネクタに外部インタフェース用プラグが接続されたことを検出する手段とを備え、着信があったときに外部インタフェース用プラグが外部インタフェースコネクタに接続されているときは、自動車内で使用中であるものとして、携帯電話機を開く動作により応答保留状態に設定することが記載されている。
特許文献２には、受話口、送信口等を有する携帯電話機本体と、受話口の近傍に設けられ、人体を検出する人体検出部と、この人体検出部が人体を検出するとオフフックする手段とを備えることが記載されている。
【０００５】
特許文献３には、磁界発生部にて微少の磁界を発生させて、携帯電話機を手に取る操作により、着信音発生直前の磁界の検出データと着信音発生後の磁界の検出データとを比較することで発生した磁界の乱れを検出し、自動的に着呼することが記載されている。
特許文献４には、着信があったとき、携帯端末の所定範囲内、例えば１０ｃｍ以内に人の手が近付くと、それを人感知センサーが検出し、マイコンは携帯端末を、着呼ボタンを押し下げたのと同じ状態、すなわち通話状態に制御することが記載されている。
【先行技術文献】
【特許文献】
【０００６】
【特許文献１】特開平６−２２４９９３号公報
【特許文献２】特開平８−３３５９６９号公報
【特許文献３】特開平１０−２４３０５７号公報
【特許文献４】特開平１１−３１７７９２号公報
【発明の概要】
【発明が解決しようとする課題】
【０００７】
しかしながら、例えば、特許文献１記載の技術では、使用者が、着信時に折り畳み携帯電話機を開閉する必要がある。また、折り畳み構造ではない携帯電話機では、特許文献１記載の技術を適用できない。また、例えば、特許文献２−４記載の技術では、人体の検出や磁界の検出の精度が低い場合があり、携帯電話装置がオフフック状態とオンフック状態が意図したタイミングで切り換わらない場合、あるいは逆に意図しないタイミングで切り替わってしまう場合があった。
以上に例示したように、従来技術では、装置を簡易に使用させることができないという問題があった。
【０００８】
本発明は上記の点に鑑みてなされたものであり、装置を簡易に使用させることができる携帯電話装置、及び、制御方法を提供する。
【課題を解決するための手段】
【０００９】
（１）本発明は上記の課題を解決するためになされたものであり、本発明の一態様は、無線タグと通信を行う通信部と、着信があった場合に、前記通信部を活動状態にする電力制御部と、無線タグとの通信状態を検出する検出部と、着信時に、発信元の識別情報を抽出する着信検出部と、発信元の識別情報と、タグ通信を許可するか否かを示す可否情報と、を対応付けて記憶する対応情報記憶部と、前記検出部が検出した通信状態の変化に基づいて、オンフック状態とオフフック状態とを切り替える状態切換部と、を備え、前記電力制御部は、前記着信検出部が検出した発信元の識別情報が前記対応情報記憶部に記憶され、当該識別情報に対応付けられた可否情報がタグ通信を許可することを示す場合に、前記通信部を活動状態にし、前記検出部は、自携帯電話装置と前記無線タグが一定距離内にある近接状態か、又は、自携帯電話装置と前記無線タグが一定距離内にない非近接状態か、を示す近接判定情報を検出し、前記状態切換部は、前記近接判定情報に基づいて、オンフック状態とオフフック状態とを切り替える携帯電話装置である。
【００１０】
（２）また、本発明の一態様は、上記の携帯電話装置において、前記状態切換部は、自携帯電話装置がオンフック状態であるとき、前記近接判定情報の示す状態が前記近接状態から前記非近接状態となった場合に、オフフック状態へ切り替える。
【００１１】
（３）また、本発明の一態様は、上記の携帯電話装置において、前記状態切換部は、自携帯電話装置がオフフック状態であるとき、前記近接判定情報の示す状態が前記非近接状態から前記近接状態となった場合に、オンフック状態へ切り替える。
【００１２】
（４）また、本発明の一態様は、上記の携帯電話装置において、前記状態切換部は、自携帯電話装置がオンフック状態であるとき、前記近接判定情報の示す状態が前記非近接状態から前記近接状態となった場合に、オフフック状態へ切り替える。
【００１３】
（５）また、本発明の一態様は、上記の携帯電話装置において、前記状態切換部は、自携帯電話装置がオフフック状態であるとき、前記近接判定情報の示す状態が前記近接状態から前記非近接状態となった場合に、オンフック状態へ切り替える。
【００１４】
（６）また、本発明の一態様は、前記可否情報は、オンフック状態とオフフック状態との切り替え可否を示す。
【００１５】
（７）また、本発明の一態様は、無線タグと通信を行う通信部と、着信があった場合に、前記通信部を活動状態にする電力制御部と、無線タグとの通信状態を検出する検出部と、着信時に、発信元の識別情報を抽出する着信検出部と、発信元の識別情報と、タグ通信を許可するか否かを示す可否情報と、を対応付けて記憶する対応情報記憶部と、前記検出部が検出した通信状態の変化に基づいて、オンフック状態とオフフック状態とを切り替える状態切換部と、を備えた携帯電話装置における制御方法において、前記電力制御部が、前記着信検出部が検出した発信元の識別情報が前記対応情報記憶部に記憶され、当該識別情報に対応付けられた可否情報がタグ通信を許可することを示す場合に、前記通信部を活動状態にする過程と、前記検出部が、自携帯電話装置と前記無線タグが一定距離内にある近接状態か、又は、自携帯電話装置と前記無線タグが一定距離内にない非近接状態か、を示す近接判定情報を検出する過程と、前記状態切換部が、前記検出部が検出した通信状態の変化に基づいて、オンフック状態とオフフック状態とを切り替える過程と、を備える制御方法。
【発明の効果】
【００２３】
本発明によれば、装置を簡易に使用させることができる。
【図面の簡単な説明】
【００２４】
【図１】本発明の第１の実施形態に係る携帯電話システムを示す概略図である。
【図２】本実施形態に係るワッペンを表す概略図である。
【図３】本実施形態に係るＩＣカードの構成を示す概略ブロック図である。
【図４】本実施形態に係る携帯電話装置の一例を表す斜視図である。
【図５】本実施形態に係る携帯電話装置の構成を示す概略ブロック図である。
【図６】本実施形態に係る制御部の構成を示す概略ブロック図である。
【図７】本実施形態に係る電話帳テーブルの一例を示す概略図である。
【図８】本実施形態に係る携帯電話装置の動作の一例を示すフローチャートである。
【図９】本発明の第２の実施形態に係る携帯電話システムを示す概略図である。
【図１０】本実施形態に係るイヤリングの一例を表す概略図である。
【図１１】本実施形態に係る制御部の構成を示す概略ブロック図である。
【図１２】本実施形態に係る携帯電話装置の動作の一例を示すフローチャートである。
【図１３】第２の実施形態の変形例に係るメガネの一例を表す概略図である。
【発明を実施するための形態】
【００２５】
（第１の実施形態）
以下、図面を参照しながら本発明の実施形態について詳しく説明する。
図１は、本発明の第１の実施形態に係る携帯電話システムを示す概略図である。この図において、携帯電話システムは、ワッペン１及び携帯電話装置２を具備する。使用者が着ている服のポケットＰ１には、ワッペン１が付けられている。ワッペン１には、ＩＣカード１２が格納されている。ＩＣカード１２は、例えば、ＲＦＩＤタグ（無線タグ）であり、例えば、非接触型ＩＣカードである。また、ポケットＰ１には、携帯電話装置２が収納されている。
【００２６】
携帯電話装置２は、ＲＦＩＤタグと無線通信（タグ通信と称する）を行う。携帯電話装置２は、タグ通信の状態に基づいて、オンフック状態とオフフック状態とを切り換える。ここで、オンフック状態とは、例えば、携帯電話装置２が着信を待ち受けている状態又は着信している状態であり、使用者が通話できない状態である。オフフック状態とは、例えば、使用者が携帯電話装置２で通話中または架電準備中の状態であり、使用者が通話相手と通話できる状態である。なお、オフフック状態には、相手が保留して通話できない状態が含まれていても良い。また、固定電話装置において、例えば、オンフック状態とは受話機を本体に置いた（待ち受け）状態であり、オフクック状態とは本体から受話機を離した状態である。
【００２７】
図２は、本実施形態に係るワッペン１を表す概略図である。この図は、ワッペン１の裏側、つまり、図１において服と接している側を表す。なお、鎖線は、内部構造を表す。ワッペン１は、ＩＣカード格納部１０を有する。ＩＣカード格納部１０の中には、ＩＣカード１２が格納されている。ワッペン１には、安全ピン１１が固着されている。安全ピン１１により、使用者は、服にワッペン１を付けることができ、また、ワッペン１を外すことができる。
【００２８】
図３は、本実施形態に係るＩＣカード１２の構成を示す概略ブロック図である。この図において、ＩＣカード１２は、アンテナコイル１２１、復調部１２２、タグ制御部１２３、メモリ１２４、及び、変調部１２５を含んで構成される。なお、ＩＣカード１２において、アンテナコイル１２１以外は、例えば、数ｍｍ角の大きさに収められる。
【００２９】
アンテナコイル１２１は、アンテナとして用いられるコイルである。アンテナコイル１２１は、携帯電話装置２のリーダモジュール２３が近接した場合に、リーダモジュール２３と電磁結合する。電磁結合とは、例えば、コイルの相互誘導を利用して交信することをいう。また、近接とは、例えば、物同士が一定距離（数ｃｍ〜１０ｃｍ）内にある場合である。ただし、本発明はこれに限らず、近接とは、携帯電話装置２の通話位置（例えば、使用者の顔付近や、耳付近）と、携帯電話装置２の収納位置（例えば、使用者のポケット、かばん）と、の距離より小さい距離に、物同士がある場合であっても良い。また、リーダモジュール２３は、電磁結合する距離を可変にしても良い。例えば、リーダモジュール２３は、使用者の設定によって電磁結合する距離が決められ、十分に電磁結合する距離内にＩＣカード１２がある場合（例えば、電磁結合による交信の電力が閾値以上になる場合）を、近接としても良い。
アンテナコイル１２１は、電磁結合によって電力（起電力）を発生し、発生した電力を復調部１２２へ供給する。また、アンテナコイル１２１は、後述する変調部１２５から供給された電力に基づいて、送信信号（タグ信号とも称する）を送信する。
【００３０】
復調部１２２は、アンテナコイル１２１から供給された電力を、信号と電源用の電力（電源電力とも称する）に分離する。復調部１２２は、分離後の電源電力をタグ制御部１２３へ供給する。復調部１２２は、分離後の信号を復調することで、受信データを生成する。また、復調部１２２は、アンテナコイル１２１に発生した電力の大きさを計測し、計測した電力の大きさを示す近接度データを生成する。復調部１２２は、生成した受信データ及び近接度データを、タグ制御部１２３へ出力する。
【００３１】
タグ制御部１２３は、復調部１２２から供給された電源電力で起動する。タグ制御部１２３は、復調部１２２から入力された受信データ及び近接度データに基づいて、メモリ１２４からデータを読み込み、又は、メモリ１２４にデータを書き込む。タグ制御部１２３は、メモリ１２４から読み出したデータを、変調部１２５へ出力するとともに電力を供給する。
例えば、メモリ１２４は、ＩＣカード１２のＩＤ（識別）情報を予め記憶する。タグ制御部１２３は、近接度データに基づいて、携帯電話装置２とＩＣカード１２が近接しているか否かを判定する。携帯電話装置２とＩＣカード１２が近接している（近接状態とも称する）と判定した場合、タグ制御部１２３は、メモリ１２４からＩＤ情報を読み出し、読み出したＩＤ情報を含むデータを、変調部１２５へ出力する。一方、携帯電話装置２とＩＣカード１２が近接していない（非近接状態とも称する）と判定した場合、タグ制御部１２３は、ＩＤ情報を含むデータを、変調部１２５へ出力しない。
【００３２】
変調部１２５は、タグ制御部１２３から供給された電力で起動する。変調部１２５は、タグ制御部１２３から入力されたデータを、変調する。変調部１２５は、変調結果に従って、電力をアンテナコイル１２１へ供給する。これにより、アンテナコイル１２１は、タグ信号を送信する。
以上により、アンテナコイル１２１は、近接状態の場合には、ＩＤ情報を含むタグ信号を送信することとなる。一方、アンテナコイル１２１は、非近接状態の場合には、タグ信号を送信しない、又は、ＩＤ情報を含まないタグ信号を送信することとなる。
【００３３】
図４は、本実施形態に係る携帯電話装置２の一例を表す斜視図である。この図において、携帯電話装置２は、表示部２０１、入力操作部２０２、リーダモジュール２３、マイクロホン２４３、イヤピース２４４、及び、アンテナ２４５を含んで構成される。
表示部２０１は、画像を表示する。表示部２０１は、例えば、ＬＣＤ（液晶ディスプレイ）である。入力操作部２０２は、複数のキー（ボタン）を有する。なお、入力操作部２０２は、表示部２０１と一体型であってもよく、その場合は、表示部２０１と入力操作部２０２とがタッチスクリーンで実現される。
【００３４】
リーダモジュール２３は、ＩＣカード１２とタグ通信を行う。例えば、リーダモジュール２３は、ＩＣカード１２と電磁結合し、ＩＤ情報を含むタグ信号を受信する。この場合、リーダモジュール２３は、近接するＩＣカード１２からＩＤ情報を読み取る。
マイクロホン２４３は、音声を入力される。
イヤピース２４４は、音声を出力する。
アンテナ２４５は、基地局装置と信号の送受信を行う。
【００３５】
図４の携帯電話装置２では、イヤピース２４４の近傍に、リーダモジュール２３（後述する送信アンテナコイル２３２、受信アンテナコイル２３３）が設けられている。
【００３６】
図５は、本実施形態に係る携帯電話装置２の構成を示す概略ブロック図である。この図において、携帯電話装置２は、表示部２０１、入力操作部２０２、制御部２１、電力供給スイッチ２２１、リーダモジュール２３、フック切換部２４１、通信部２４２、マイクロホン２４３、イヤピース２４４、及び、アンテナ２４５を含んで構成される。リーダモジュール２３は、交流生成部２３１、送信アンテナコイル２３２、受信アンテナコイル２３３、及び、復調部２３４を含んで構成される。
【００３７】
表示部２０１は、制御部２１から入力されたデータに基づいて、画像を表示する。
入力操作部２０２は、使用者の操作に基づいて入力データを生成し、生成した入力データを制御部２１へ出力する。
制御部２１は、入力操作部２０２から入力された入力データ、及び、通信部２４２から入力された受信データに基づいて、携帯電話装置２の各部を制御する。また、制御部２１は、リーダモジュール２３の復調部２３４から入力されたデータに基づいて、携帯電話装置２の各部を制御する。例えば、制御部２１は、復調部２３４から入力されたデータに基づいて、使用者の操作に基づく制御と同じ制御を行う（タグ利用制御とも称する）。
一例として、制御部２１は、電話の着信があった場合に、ＩＣカード１２に電力を供給させてタグ通信を行わせる。制御部２１は、ＩＣカード１２から受信したタグ信号に基づいて、フック切換部２４１を制御する。これにより、制御部２１は、携帯電話装置２のオンフック状態とオフフック状態とを切り換える。
【００３８】
電力供給スイッチ２２１は、制御部２１の制御に従って、リーダモジュール２３の電力を制御する。つまり、電力供給スイッチ２２１は、タグ通信を行わせるか否かを制御する。具体的には、タグ通信を行わせる場合、電力供給スイッチ２２１は、交流生成部２３１を「入」に制御する。一方、タグ通信を行わせない場合、電力供給スイッチ２２１は、交流生成部２３１を「切」に制御する。
交流生成部２３１は、電力供給スイッチ２２１の制御に従って、送信アンテナコイル２３２に電力を供給する。具体的には、交流生成部２３１は、「入」に制御された場合に、送信アンテナコイル２３２に交流電流を供給する。一方、交流生成部２３１は、「切」に制御された場合に、送信アンテナコイル２３２に交流電流を供給しない。
【００３９】
送信アンテナコイル２３２は、アンテナとして用いられるコイルである。送信アンテナコイル２３２は、例えば、交流生成部２３１から電力が供給されたときに活動状態になる。  送信アンテナコイル２３２は、活動状態のときに近接状態になった場合には、ＩＣカード１２のアンテナコイル１２１と電磁結合する。
受信アンテナコイル２３３は、アンテナとして用いられるコイルである。受信アンテナコイル２３３は、ＩＣカード１２のアンテナコイル１２１から送信されたタグ信号を、受信する。受信アンテナコイル２３３は、受信したタグ信号を復調部２３４へ出力する。
復調部２３４は、タグ信号を復調することで、受信データを生成する。この受信データには、例えば、ＩＣカード１２のＩＤ情報が含まれる。復調部２３４は、生成した受信データを制御部２１へ出力する。
【００４０】
フック切換部２４１は、制御部２１からの制御に従って、通信部２４２を制御する。つまり、フック切換部２４１は、携帯電話装置２のオンフック状態とオフフック状態とを切り換える。
通信部２４２は、制御部２１及びマイクロホン２４３から入力されたデータを変調することで、送信信号を生成する。通信部２４２は、生成した送信信号を、アンテナ２４５を介して、基地局装置へ送信する。通信部２４２は、基地局装置から受信した受信信号を復調することで、受信データを生成する。通信部２４２は、生成した受信データのうち、音声データをイヤピース２４４へ出力し、他のデータを制御部２１へ出力する。
ここで、通信部２４２は、例えば、着信（着呼）が報知（例えば携帯電話装置２を鳴動）されている状態のときにオフフック状態へ切り換えられた場合には、イヤピース２４４から通話相手の音声を出力できる状態であって、マイクロホンから音声入力できる状態にする。一方、通信部２４２は、例えば、オフフック状態からオンフック状態へ切り換えられた場合には、イヤピース２４４から通話相手の音声を出力できない状態であって、マイクロホンから音声入力できない状態にする。
【００４１】
マイクロホン２４３は、入力された音声をデータに変換し、変換したデータを通信部２４２へ出力する。
イヤピース２４４は、通信部２４２から入力された音声データを音声に変換し、変換した音声を出力する。
【００４２】
図６は、本実施形態に係る制御部２１の構成を示す概略ブロック図である。この図において、制御部２１は、電話帳情報設定部２１１、電話帳情報記憶部２１２、着信検出部２１３、通信相手照合部２１４、ＲＦＩＤリーダ電力制御部２１５、ＲＦＩＤ情報取得部２１６、及び、状態切換部２１７を含んで構成される。なお、制御部２１の各部は、ＣＰＵ（中央演算処理装置）やメモリおよびメモリに記録されたプログラムを用いて実現される。
【００４３】
電話帳情報設定部２１１は、入力操作部２０２から入力された入力データに基づいて、電話帳情報記憶部２１２の電話帳データを更新する。例えば、電話帳情報設定部２１１は、電話帳データの可否区分を更新する。ここで、可否区分は、タグ利用制御を許可するか否かを示す情報である。すなわち、可否区分は、オンフック状態とオフフック状態との切り替え可否を示す情報である。
電話帳情報記憶部２１２は、電話帳テーブル（図７）を記憶する。電話帳テーブルには、電話番号（発信元の識別情報）、氏名、及び、可否区分が対応付けられた電話帳データが格納されている。
【００４４】
着信検出部２１３は、通信部２４２から入力されたデータに基づいて、携帯電話装置２への着信を検出する。着信を検出した場合、着信検出部２１３は、着信データを通信相手照合部２１４へ出力する。着信データには、通話相手の電話番号（発信元の識別情報）が含まれている。
通信相手照合部２１４は、着信検出部２１３から入力された着信データに含まれる電話番号を抽出する。通信相手照合部２１４は、抽出した電話番号が含まれる電話帳データを、電話帳情報記憶部２１２が記憶する電話帳テーブルから選択する。通信相手照合部２１４は、選択した電話帳データの情報（例えば氏名）を、表示部２０１に表示させると共に、携帯電話装置２を鳴動させる。また、通信相手照合部２１４は、電話帳データの可否区分を、ＲＦＩＤリーダ電力制御部２１５へ出力する。
【００４５】
ＲＦＩＤリーダ電力制御部２１５は、通信相手照合部２１４から入力された可否区分に基づいて、タグ利用制御を行うか否かを判定する。タグ利用制御を行うと判定した場合、ＲＦＩＤリーダ電力制御部２１５は、電力供給スイッチ２２１に対し、タグ通信を行わせる制御を行う。一方、タグ利用制御を行わないと判定した場合、ＲＦＩＤリーダ電力制御部２１５は、電力供給スイッチ２２１に対し、タグ通信を行わせない制御を行う。なお、ＲＦＩＤリーダ電力制御部２１５は、タグ通信を開始させた場合に、着信が途切れた時点あるいは予め定めた期間の経過した後、タグ通信を終了させても良い。また、ＲＦＩＤリーダ電力制御部２１５は、タグ通信を開始していない状態又は終了している状態で、タグ利用制御を行わないと判定した場合には、電力供給スイッチ２２１に対して制御を行わなくても良い。
【００４６】
ＲＦＩＤ情報取得部２１６（検出部）は、復調部２３４から入力された受信データに基づいて、近接状態か又は非近接状態かを判定する。すなわち、ＲＦＩＤ情報取得部２１６は、携帯電話装置２とＩＣカード１２との通信状態を検出する。換言すれば、ＲＦＩＤ情報取得部２１６は、受信データに基づいて、携帯電話装置２とＩＣカード１２が一定距離内に存在するか否かを判定する。ＲＦＩＤ情報取得部２１６は、この判定の結果を示す近接判定データ（近接判定情報）を、状態切換部２１７へ出力する。
状態切換部２１７は、ＲＦＩＤ情報取得部２１６から入力された近接判定データに基づいて、使用者の操作に基づく制御と同じ制御を行う。例えば、状態切換部２１７は、近接判定データに基づいて、フック切換部２４１を制御する。すなわち、状態切換部２１７は、近接判定データに基づいて、オンフック状態とオフフック状態とを切り替える。
【００４７】
図７は、本実施形態に係る電話帳テーブルの一例を示す概略図である。図示するように電話帳テーブルは、電話番号、氏名、及び、可否区分の各項目を有している。ここで、可否区分は、「Ｙｅｓ」がタグ利用制御を許可することを表し、「Ｎｏ」がタグ利用制御を許可しないことを表す。電話帳テーブルには、電話番号毎に電話帳データが格納される。
例えば、図７の１行目の電話帳データは、電話番号が「０９０−１２３４−ＸＸＸＸ」であり、その電話番号の利用者の氏名が「○○  ゆうこ」、可否区分が「Ｙｅｓ」であることを示す。つまり、この電話帳データは、「０９０−１２３４−ＸＸＸＸ」から着信があった場合に、携帯電話装置２がタグ利用制御を行うことを表す。
【００４８】
図８は、本実施形態に係る携帯電話装置２の動作の一例を示すフローチャートである。
（ステップＳ１０１）携帯電話装置２は、例えば待ち受け状態にあり、オンフック状態である。着信検出部２１３は、携帯電話装置２への着信を検出したか否かを判定する。着信を検出したと判定された場合（ＹＥＳ）、着信検出部２１３が着信データを取得し、ステップＳ１０２へ進む。一方、着信を検出していないと判定された場合（ＮＯ）、ステップＳ１０１へ戻る。なお、図８のフローチャートの開始時点では、電力供給スイッチ２２１は、交流生成部２３１を「切」に制御しており、タグ通信による電力消費を抑制している。
【００４９】
（ステップＳ１０２）通信相手照合部２１４は、ステップＳ１０１で取得された着信データに含まれる電話番号をキーとして、電話帳テーブルの電話帳データを照合する。通信相手照合部２１４は、キーとした電話番号を含む電話帳データを選択し、選択した電話帳データから可否区分を取得する。ＲＦＩＤリーダ電力制御部２１５は、通信相手照合部２１４が取得した可否区分に基づいて、タグ利用制御を許可するか否かを判定する。つまり、ＲＦＩＤリーダ電力制御部２１５は、発信元がタグ利用制御を許可された発信元であるか否かを判定する。
タグ利用制御を許可する（可否区分が「Ｙｅｓ」）と判定された場合（ＹＥＳ）、ステップＳ１０４へ進む。一方、キーとした電話番号を含む電話帳データがない、又は、タグ利用制御を許可しない（可否区分が「Ｎｏ」）と判定された場合（ＮＯ）、ステップＳ１０３へ進む。例えば、図７の電話帳テーブルのとき、「０９０−１２３４−ＸＸＸＸ」から着信があった場合に、ＲＦＩＤリーダ電力制御部２１５は、タグ利用制御を許可する（ＹＥＳ）と判定する。
【００５０】
（ステップＳ１０３）状態切換部２１７は、入力操作部２０２からの入力データに基づいて、フック切換部２４１を制御する。なお、Ｓ１０３以後の動作は、入力操作部２０２のボタン操作によるオフフック操作を待つ処理に遷移する（以下のフローは割愛する）。
（ステップＳ１０４）ＲＦＩＤリーダ電力制御部２１５は、電力供給スイッチ２２１に対し、タグ通信を行わせる制御を行う。具体的には、電力供給スイッチ２２１は、交流生成部２３１を「入」に制御する。交流生成部２３１は、直流電流を交流電流に変換し、変換後の交流電流を、送信アンテナコイル２３２へ供給する。つまり、ＲＦＩＤリーダ電力制御部２１５は、リーダモジュール２３の電源を入れる。すなわち、ＲＦＩＤリーダ電力制御部２１５は、着信があった場合に、リーダモジュール２３を活動状態にする。その後、ステップＳ１０５へ進む。
【００５１】
（ステップＳ１０５）ステップＳ１０４の制御の結果、携帯電話装置２とＩＣカード１２がタグ通信の通信可能な範囲にある場合には、送信アンテナコイル２３２とアンテナコイル１２１が電磁結合される。復調部１２２は、アンテナコイル１２１に発生した電力（交信電力）の大きさを示す近接度データを生成する。
タグ制御部１２３は、近接度データが示す電力の大きさが予め定めた閾値Ｔ１以上である場合、近接状態と判定する。近接状態と判定した場合、タグ制御部１２３は、メモリ１２４からＩＤ情報を読み出す。変調部１２５はＩＤ情報を含むデータを変調し、アンテナコイル１２１はＩＤ情報を含むタグ信号を送信する。
【００５２】
ステップＳ１０５のＩＣカード１２における以上の処理は、繰り返し行われる。例えば、ＩＣカード１２は、近接度データが示す電力の大きさが予め定めた閾値Ｔ１以上であり続ける場合には、ＩＤ情報を含むタグ信号を、繰り返し送信する。例えば、ＩＤ情報が「１２３４」である場合、ＩＣカード１２は、「１２３４」、「１２３４」、「１２３４」、・・・という情報を繰り返し送信する。ここで、「１２３４」を含むタグ信号各々は、予め定められた時間毎に送信されても良い。
このとき、受信アンテナコイル２３３は、アンテナコイル１２１と電磁結合される。復調部２３４は、受信アンテナコイル２３３が受信したタグ信号を復調することで、受信データを生成する。ＲＦＩＤ情報取得部２１６は、復調部２３４から入力された受信データからＩＤ情報を取得する。以上のように、近接状態の場合には、携帯電話装置２は、ＩＣカード１２からＩＤ情報を取得する。一方、非近接状態である場合には、携帯電話装置２は、ＩＣカード１２からＩＤ情報を取得しない。
【００５３】
ＲＦＩＤ情報取得部２１６は、予め定められた期間、取得した受信データにＩＤ情報が含まれているか否かを判定する。これにより、ＲＦＩＤ情報取得部２１６は、近接状態か又は非近接状態かを判定する。
近接状態（受信データにＩＤ情報が含まれている）と判定された場合（ＹＥＳ）、ステップＳ１０６へ進む。例えば、使用者が携帯電話装置２をポケットＰ１に入れている場合（図１参照）には、近接していると判定される。一方、非近接状態（受信データにＩＤ情報が含まれていない又は受信データを取得していない）と判定された場合（ＮＯ）、ステップＳ１０３へ進む。
【００５４】
（ステップＳ１０６）ＲＦＩＤ情報取得部２１６は、取得した受信データにＩＤ情報が含まれているか否かを判定する。つまり、ＲＦＩＤ情報取得部２１６は、ステップＳ１０５から継続して近接状態か、又は非近接状態かを判定する。
継続して近接状態（受信データにＩＤ情報が含まれ続けている）と判定された場合（ＹＥＳ）、ステップＳ１０６へ戻る。このように、ステップＳ１０６では、ＲＦＩＤ情報取得部２１６は、ＩＤ情報の取得が途切れるのを監視する状態となる。すなわち、携帯電話装置２は、ＩＤ情報の取得が休止されない限り、近接状態（携帯電話装置２とＩＣカード１２が近接範囲内）と判断する。この場合、携帯電話装置２は、Ｓ１０６の処理を繰り返し、使用者の操作による応答を待つ状態となる。
一方、非近接状態（受信データにＩＤ情報が含まれていない又は受信データを取得していない）と判定された場合（ＮＯ）、ＲＦＩＤ情報取得部２１６は、非近接状態を示す近接判定データを生成し、ステップＳ１０７へ進む。例えば、使用者が携帯電話装置２をポケットＰ１から取り出すと、携帯電話装置２は、ＩＤ情報の取得が途切れることとなる。この場合、ステップＳ１０６で非近接状態と判定される。
【００５５】
なお、ステップＳ１０６において、ＲＦＩＤ情報取得部２１６は、予め定められた一定期間、受信データにＩＤ情報が含まれていない状態が続いたか否かを判定しても良い。一定期間、受信データにＩＤ情報が含まれていない状態が続いたと判定された場合、ステップＳ１０７へ進む。一方、それ以外の場合は、Ｓ１０６に戻る。すなわち、携帯電話装置２は、ＩＤ情報の取得が一定期間休止されない限り、近接状態と判定する。
通信では、瞬間的に通信エラーが発生する場合がある。例えば、近接状態にもかかわらず、通信エラーによって、携帯電話装置２がＩＤ情報を取得できないこともある。携帯電話装置２は、一定期間、受信データにＩＤ情報が含まれていない状態が続いたか否かを判定することにより、瞬間的な通信エラーが発生した場合に、ステップＳ１０７に進むことを防止でき、誤動作（チャタリング）を防止することができる。
【００５６】
（ステップＳ１０７）状態切換部２１７は、ステップＳ１０６で生成された近接判定データ（非近接状態を示す）に基づいて、フック切換部２４１を制御する。これにより、携帯電話装置２は、オンフック状態からオフフック状態へ切り換えられる。つまり、状態切換部２１７は、使用者がオフフックボタン（応答キー）を押下した場合の制御と同じ制御を行う。その後、ステップＳ１０８へ進む。なお、携帯電話装置２がオフフック状態になった場合、携帯電話装置２が通話が可能な状態となり、使用者が着信に対して応答できる。
【００５７】
（ステップＳ１０８）ＲＦＩＤ情報取得部２１６は、予め定められた期間、取得した受信データにＩＤ情報が含まれているか否かを判定する。つまり、ＲＦＩＤ情報取得部２１６は、アンテナコイル１２１に発生した電力の大きさ（強度）が閾値Ｔ１以上であるか否かを判定することとなる。これにより、ＲＦＩＤ情報取得部２１６は、近接状態か又は非近接状態かを判定する。
【００５８】
近接状態（受信データにＩＤ情報が含まれている）と判定された場合（ＹＥＳ）、ＲＦＩＤ情報取得部２１６は、近接状態を示す近接判定データを生成し、ステップＳ１０９へ進む。例えば、使用者が、携帯電話装置２をポケットＰ１に入れた（戻した）場合（図１参照）には、近接状態と判定される。
一方、非近接状態（受信データにＩＤ情報が含まれていない又は受信データを取得していない）と判定された場合（ＮＯ）、ステップＳ１０８へ戻る。すなわち、携帯電話装置２は、非近接状態（携帯電話装置２とＩＣカード１２が近接範囲外）から、近接状態（携帯電話装置２とＩＣカード１２が近接範囲内）へ遷移するのを待つ状態となっている。なお、状態切換部２１７は、入力操作部２０２からの入力データ又は通信部２４２からのデータ（例えば発信元の通話切断操作）に基づいて、フック切換部２４１を制御しても良い。
【００５９】
（ステップＳ１０９）状態切換部２１７は、ステップＳ１０８で生成された近接判定データ（近接状態を示す）に基づいて、フック切換部２４１を制御する。これにより、携帯電話装置２は、オフフック状態からオンフック状態へ切り換えられる。つまり、状態切換部２１７は、使用者がオンフックボタン（終話キー）を押下した場合の制御と同じ制御を行う。その後、ステップＳ１１０へ進む。
【００６０】
（ステップＳ１１０）ＲＦＩＤリーダ電力制御部２１５は、電力供給スイッチ２２１に対し、タグ通信を行わせる制御を休止させる。具体的には、電力供給スイッチ２２１は、交流生成部２３１を「切」に制御する。交流生成部２３１は、送信アンテナコイル２３２への電力の供給を休止する。つまり、ＲＦＩＤリーダ電力制御部２１５は、リーダモジュール２３の電源を切ることで、リーダモジュール２３を休止する。
【００６１】
このように、本実施形態によれば、携帯電話装置２は、ＩＣカード１２との通信状態を検出する。携帯電話装置２は、具体的には、携帯電話装置２とＩＣカード１２が一定距離内にある近接状態か、又は、携帯電話装置２とＩＣカード１２が一定距離内にない非近接状態か、を示す近接判定データを検出する。携帯電話装置２は、検出した近接判定データが示す通信状態の変化に基づいて、オンフック状態とオフフック状態とを切り替える。これにより、使用者は、例えばボタン操作によってオンフック状態とオフフック状態とを切り替える場合と比較して、簡易に携帯電話装置２を使用できる。
【００６２】
また、本実施形態によれば、携帯電話装置２は、携帯電話装置２がオンフック状態であるとき、近接判定データの示す状態が近接状態から非近接状態となった場合に、オフフック状態へ切り替える。また、携帯電話装置２は、携帯電話装置２がオフフック状態であるとき、近接判定データの示す状態が非近接状態から近接状態となった場合に、オンフック状態へ切り替える。
ここで、携帯電話装置２は、着信待ち受け時に、ＩＣカード１２と近接する位置に収納される。つまり、携帯電話装置２が収納されている状態から通話に使用される場合に、近接判定データの示す状態が近接状態から非近接状態となる。そのとき、携帯電話装置２は、オンフック状態からオフフック状態へ切り替わるので、使用者は、簡易に携帯電話装置２での着信に応答できる。また、携帯電話装置２が使用されている状態から収納される場合に、近接判定データの示す状態が非近接状態から近接状態となる。そのとき、携帯電話装置２は、オフフック状態からオンフック状態へ切り替わるので、使用者は、簡易に携帯電話装置２での通話を終了できる。
【００６３】
また、本実施形態によれば、携帯電話装置２は、通話相手の電話番号と可否区分とを対応付けて記憶する。携帯電話装置２は、着信時に、通話相手の電話番号を抽出し、抽出した電話番号が電話帳テーブルに記憶され、電話番号に対応付けられた可否区分が「Ｙｅｓ」である場合に、オンフック状態とオフフック状態とを切り替える（タグ利用制御を行う）。これにより、携帯電話装置２では、タグ利用制御を行う発信元を、特定の者（例えば近親者）に限定することができる。一方、タグ利用制御を行わない発信元に対してはボタン操作等により応答することとなり、使用者は、応答するか否かの判断を、より慎重に判断することができる。
【００６４】
また、本実施形態によれば、携帯電話装置２は、着信があった場合に、リーダモジュール２３を活動状態にする。これにより、携帯電話装置２は、リーダモジュール２３を連続して稼働し続けた場合と比較して、電力消費を抑えることができる。なお、この場合、携帯電話装置２は、何らかのオフフック操作により電力供給を終了してもよい。
【００６５】
（第２の実施形態）
以下、図面を参照しながら本発明の第２の実施形態について詳しく説明する。
第１の実施形態では、携帯電話装置２を収納する場所（図１ではポケットＰ１）の付近に、ＩＣカード１２を配置する場合について説明をした。第２の実施形態では、携帯電話装置２ａを使用する場所の付近に、ＩＣカード１２を配置する場合について説明をする。例えば、携帯電話装置２ａは、携帯電話装置２ａとＩＣカード１２が近接している近接状態となった場合に、オフフック状態となる。また、オフフック状態で非近接状態となった場合、携帯電話装置２ａは、オンフック状態となる。
【００６６】
図９は、本発明の第２の実施形態に係る携帯電話システムを示す概略図である。この図において、携帯電話システムは、イヤリング１ａ及び携帯電話装置２ａを具備する。使用者は、イヤリング１ａをつけている。イヤリング１ａは、携帯電話装置２ａを使用する場所、つまり、通話時、携帯電話装置２ａから音声を聞く場所（耳）、の近傍に位置する。イヤリング１ａには、ＩＣカード１２が格納されている。
【００６７】
携帯電話装置２ａの斜視図の一例は、図４と同じである。携帯電話装置２ａでは、イヤピース２４４の近傍に、リーダモジュール２３が設けられている。つまり、音声を出力する部分（イヤピース２４４の近傍）と音声を聞く部分（耳の近傍）に、リーダモジュール２３とＩＣカード１２を配置している。これにより、使用者が携帯電話装置２ａから音声を聞くときに、リーダモジュール２３とＩＣカード１２を近接させることができる。
【００６８】
図１０は、本実施形態に係るイヤリング１ａの一例を表す概略図である。なお、鎖線は、内部構造を表す。イヤリング１ａの中には、ＩＣカード１２が格納されている。
【００６９】
図１１は、本実施形態に係る制御部２１ａの構成を示す概略ブロック図である。携帯電話装置２ａは、携帯電話装置２（図５）において、制御部２１に代えて制御部２１ａを備える。本実施形態に係る制御部２１ａ（図１１）と第１の実施形態に係る制御部２１（図６）とを比較すると、状態切換部２１７ａが異なる。しかし、他の構成要素（電話帳情報設定部２１１、電話帳情報記憶部２１２、着信検出部２１３、通信相手照合部２１４、ＲＦＩＤリーダ電力制御部２１５、及びＲＦＩＤ情報取得部２１６）が持つ機能は第１の実施形態と同じである。第１の実施形態と同じ機能の説明は省略する。
状態切換部２１７ａは、ＲＦＩＤ情報取得部２１６から入力された近接判定データに基づいて、使用者の操作に基づく制御と同じ制御を行う。例えば、状態切換部２１７ａは、近接判定データに基づいて、フック切換部２４１を制御する。
【００７０】
図１２は、本実施形態に係る携帯電話装置２ａの動作の一例を示すフローチャートである。本実施形態に係る携帯電話装置２ａの動作（図１２）と第１の実施形態に係る携帯電話装置２の動作（図６）とを比較すると、ステップＳ２０５−Ｓ２０９の処理が異なる。
【００７１】
（ステップＳ２０５）ＲＦＩＤ情報取得部２１６は、予め定められた期間、取得した受信データにＩＤ情報が含まれているか否かを判定する。これにより、ＲＦＩＤ情報取得部２１６は、近接状態か又は非近接状態かを判定する。近接状態と判定された場合（ＹＥＳ）、ステップＳ２０６へ進む。一方、非近接状態と判定された場合（ＮＯ）、ステップＳ１０３へ進む。
【００７２】
（ステップＳ２０６）ＲＦＩＤ情報取得部２１６は、取得した受信データにＩＤ情報が含まれているか否かを判定する。つまり、ＲＦＩＤ情報取得部２１６は、近接状態か、又は継続して非近接状態かを判定する。
近接状態と判定された場合（ＹＥＳ）、ＲＦＩＤ情報取得部２１６は、携帯電話装置２とＩＣカード１２が近接していることを示す近接判定データを生成し、ステップＳ２０７へ進む。例えば、使用者が、携帯電話装置２を耳に近づけた場合（通話時）には、近接していると判定される。一方、継続して非近接状態と判定された場合（ＮＯ）、ＲＦＩＤ情報取得部２１６は、ステップＳ２０６へ戻る。
【００７３】
（ステップＳ２０７）状態切換部２１７ａは、ステップＳ２０６で生成された近接判定データ（近接していることを示す）に基づいて、フック切換部２４１を制御する。これにより、携帯電話装置２は、オンフック状態からオフフック状態へ切り換えられる。つまり、状態切換部２１７ａは、使用者がオフフックボタンを押下した場合の制御と同じ制御を行う。その後、ステップＳ２０８へ進む。
【００７４】
（ステップＳ２０８）ＲＦＩＤ情報取得部２１６は、予め定められた期間、取得した受信データにＩＤ情報が含まれているか否かを判定する。つまり、ＲＦＩＤ情報取得部２１６は、アンテナコイル１２１に発生した電力の大きさが閾値Ｔ１以上であるか否かを判定することとなる。これにより、ＲＦＩＤ情報取得部２１６は、近接状態か又は非近接状態かを判定する。
近接状態と判定された場合（ＹＥＳ）、ステップＳ２０８へ戻る。一方、非近接状態と判定された場合（ＮＯ）、ＲＦＩＤ情報取得部２１６は、携帯電話装置２とＩＣカード１２が近接していないことを示す近接判定データを生成し、ステップＳ２０９へ進む。
【００７５】
（ステップＳ２０９）状態切換部２１７ａは、ステップＳ２０８で生成された近接判定データ（近接していないことを示す）に基づいて、フック切換部２４１を制御する。これにより、携帯電話装置２は、オフフック状態からオンフック状態へ切り換えられる。つまり、状態切換部２１７ａは、使用者がオンフックボタンを押下した場合の制御と同じ制御を行う。その後、ステップＳ１１０へ進む。
【００７６】
このように、本実施形態によれば、携帯電話装置２ａは、携帯電話装置２ａがオンフック状態であるとき、近接判定データの示す状態が非近接状態から近接状態となった場合に、オフフック状態へ切り替える。また、携帯電話装置２ａは、携帯電話装置２ａがオフフック状態であるとき、近接判定データの示す状態が近接状態から非近接状態となった場合に、オンフック状態へ切り替える。
ここで、携帯電話装置２ａは、通話時に、ＩＣカード１２と近接する位置で使用される。つまり、携帯電話装置２ａが使用される場合に、近接判定データの示す状態が非近接状態から近接状態となる。そのとき、携帯電話装置２ａは、オンフック状態からオフフック状態へ切り替わるので、使用者は、簡易に携帯電話装置２での着信に応答できる。また、携帯電話装置２ａが使用されている状態から収納される場合に、近接判定データの示す状態が近接状態から非近接状態となる。そのとき、携帯電話装置２ａは、オフフック状態からオンフック状態へ切り替わるので、使用者は、簡易に携帯電話装置２での通話を終了できる。
【００７７】
＜変形例＞
図１３は、第２の実施形態の変形例に係るメガネ１ｂの一例を表す概略図である。メガネ１ｂには、ＩＣカード入れＲ１が取り付けられている。ＩＣカード入れＲ１には、ＩＣカード１２が格納されている。このように、ＩＣカード１２は、通話時、携帯電話装置２ａから音声を聞く場所（耳）、の近傍に配置されている。これにより、使用者が携帯電話装置２ａから音声を聞くときに、リーダモジュール２３とＩＣカード１２を近接させることができる。
【００７８】
なお、上記各実施形態において、携帯電話装置２、２ａでの通話に関して、タグ利用制御を行う場合について説明をした。しかし本発明はこれに限らず、メールの送受信やウェブの閲覧に関して、タグ利用制御を行っても良い。例えば、携帯電話装置２、２ａ（制御部２１、２１ａ）は、メールの着信があった場合に近接状態か又は非近接状態かを判定し、判定結果に基づいて、メールを開封して表示しても良い。また、例えば、携帯電話装置２は、ウェブサイトやアプリ（例えば地図アプリ）から更新通知があった場合に近接状態か又は非近接状態かを判定し、判定結果に基づいて、そのウェブサイトやアプリを表示しても良いし、そのウェブサイトにログインしてログイン後のサイトを表示しても良い。また、制御部２１は、タグ信号の受信電力の強さを示す受信電力データに基づいて、メールやウェブブラウザ、アプリのプログラムを終了しても良い。また、メールの送受信やウェブの閲覧に関してタグ利用制御を行う場合、例えばＩＣカード１２を格納する腕時計、又は、ＩＣカード１２を格納しているＩＣカード入れＲ１を取り付けた腕時計を用いてもよい。つまり、携帯電話装置２ａは、通話時に、ＩＣカード１２と近接する位置（手付近）で使用される。また、携帯電話装置２、２ａは、オフフック状態からオンフック状態（又はオンフック状態からオフフック状態）となった場合に、音や振動で報知してもよい。
【００７９】
また、上記第１の実施形態において、ワッペン１は、例えば、バッジやブローチ、名札入れであっても良い。また、例えば、携帯電話装置２、２ａを収納する場所（図１ではポケットＰ１）の付近に装着する物に対して、ＲＦＩＤタグを格納させ、格納させた物がポケット付近に付けられても良い。また、ＲＦＩＤタグは、服の表地と裏地の間に入れられていても良いし、服のポケットに直接縫い付けられていても良い。
【００８０】
また、上記各実施形態において、タグ信号には、ＩＤ情報が含まれなくてもよい。その場合、例えば、タグ信号には、ＩＤ情報に代えて、タグ信号の受信電力の強さを示す電力情報が含まれても良い。その場合、携帯電話装置２、２ａは、この電力情報に基づいて、近接状態か又は非近接状態かを判定し、上記各実施形態の制御を行う。また、携帯電話装置２、２ａがタグ信号の受信電力の強さを計測し、計測した受信電力の強さに基づいて、近接状態か又は非近接状態かを判定し、上記各実施形態の制御を行ってもよい。
【００８１】
また、上記各実施形態において、携帯電話装置２、２ａは、タグ信号の受信電力の強さを示す受信電力データに基づいて、携帯電話装置２、２ａの機能を制限しても良い。例えば、携帯電話装置２、２ａは、タグ信号の受信電力の強さが閾値以上の場合のみ、携帯電話装置２、２ａの一部の機能を使用でき、タグ信号の受信電力の強さが閾値より小さい場合には、その機能を使用できないようにしても良い。
【００８２】
また、上記各実施形態において、携帯電話装置２、２ａは、変調部を備えても良い。この場合、携帯電話装置２、２ａは、データを変調部で変調し、変調結果に従って、電力を送信アンテナコイル２３２へ供給する。
また、上記各実施形態において、タグ通信の方式が電磁結合方式である場合について説明したが、本発明はこれに限らず、タグ通信の方式は、静電結合方式、電磁誘導方式、マイクロ波方式であっても良い。タグ通信が電磁結合方式又は電磁誘導方式である場合には、携帯電話装置２、２ａは、交信距離が短くノイズに強い通信を行うことができる。
【００８３】
また、上記各実施形態において、例えば、携帯電話装置２、２ａの販売者は、使用者が携帯電話装置２、２ａを購入するときに、ＩＣカード１２が付与されたアクセサリ（例えば、ワッペン１、イヤリング１ａ、メガネ１ｂ、帽子）を付属させる。なお、付属品としてのアクセサリは有料であっても良いし、無料であっても良い。また、これらのアクセサリは、使用者が携帯電話装置２、２ａを購入した後に、別途購入する別売品であっても良い。また、ＩＣカード１２を使用者に提供し、使用者が任意の装身具等にＩＣカード１２を取り付けて用いても良い。また、例えば、携帯電話装置２、２ａの販売者は、使用者が別の目的で既に保持している非接触側ＩＤカードを、本発明に適用できるように再設定して用いても良い。この場合、非接触側ＩＤカードのメモリに記録するプログラムを、本発明のＩＣカード１２が実行するプログラムに書き換えても良い。
【００８４】
なお、上述した実施形態におけるＩＣカード１２、携帯電話装置２、２ａの一部をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＩＣカード１２又は携帯電話装置２、２ａに内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態におけるＩＣカード１２及び携帯電話装置２、２ａの一部、または全部を、ＬＳＩ（Ｌａｒｇｅ  Ｓｃａｌｅ  Ｉｎｔｅｇｒａｔｉｏｎ）等の集積回路として実現しても良い。ＩＣカード１２及び携帯電話装置２、２ａの各機能ブロックは個別にプロセッサ化しても良いし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００８５】
以上、図面を参照してこの発明の一実施形態について詳しく説明してきたが、具体的な構成は上述のものに限られることはなく、この発明の要旨を逸脱しない範囲内において様々な設計変更等をすることが可能である。
【産業上の利用可能性】
【００８６】
本発明は、携帯電話装置等の通信装置に用いることができ、通信装置を簡易に使用させることができる。
【符号の説明】
【００８７】
１・・・ワッペン、１０・・・ＩＣカード格納部、１１・・・安全ピン、１２・・・ＩＣカード、１２１・・・アンテナコイル、１２２・・・復調部、１２３・・・タグ制御部、１２４・・・メモリ、１２５・・・変調部、２０１・・・表示部、２０２・・・入力操作部、２１・・・制御部、２２１・・・電力供給スイッチ、２３・・・リーダモジュール、２４１・・・フック切換部、２４２・・・通信部、２４３・・・マイクロホン、２４４・・・イヤピース、２４５・・・アンテナ、２３１・・・交流生成部、２３２・・・送信アンテナコイル、２３３・・・受信アンテナコイル、２３４・・・復調部、２１１・・・電話帳情報設定部、２１２・・・電話帳情報記憶部、２１３・・・着信検出部、２１４・・・通信相手照合部、２１５・・・ＲＦＩＤリーダ電力制御部、２１６・・・ＲＦＩＤ情報取得部（検出部）、２１７・・・状態切換部
【図１】
0005822396.tif 000002
【図２】
0005822396.tif 000003
【図３】
0005822396.tif 000004
【図４】
0005822396.tif 000005
【図５】
0005822396.tif 000006
【図６】
0005822396.tif 000007
【図７】
0005822396.tif 000008
【図８】
0005822396.tif 000009
【図９】
0005822396.tif 000010
【図１０】
0005822396.tif 000011
【図１１】
0005822396.tif 000012
【図１２】
0005822396.tif 000013
【図１３】
0005822396.tif 000014